(57)【要約】【課題】印刷画質の低下を軽減可能な版を製版できる製版装置を提供する。【解決手段】制御部は、製版画像がブロック２３ａ，２３ｂ間の境界を跨ぐ場合、ブロック２３ａ，２３ｂに対して、サーマルヘッド２３全体の発熱素子３６の平均抵抗値に応じた同一の電圧を設定するよう電源３７Ａ，３７Ｂを制御する。ブロック境界を跨ぐ製版画像がない場合、制御部は、ブロック２３ａ，２３ｂに対して、ブロック２３ａ，２３ｂのそれぞれにおける発熱素子３６の平均抵抗値に応じた個別の電圧を設定するよう電源３７Ａ，３７Ｂを制御する。【選択図】図２
2019064002.tif 000002
【特許請求の範囲】
【請求項１】
主走査方向に沿って複数の発熱素子が配列され、前記複数の発熱素子の抵抗値が主走査方向に沿って連続性を有する発熱抵抗体を備え、前記発熱素子によりマスタに穿孔して製版画像を形成するサーマルヘッドと、
前記サーマルヘッドに対し、前記発熱抵抗体が主走査方向に区分けされた複数のブロックごとに電圧を供給する電源部と、
製版画像が跨る前記ブロック間の境界を介して連続する複数の前記ブロックに対しては、当該複数の前記ブロックの前記発熱素子の平均抵抗値に応じた同一の電圧を設定し、隣接する前記ブロックとの間の境界を跨る製版画像がない前記ブロックに対しては、当該ブロックにおける前記発熱素子の平均抵抗値に応じた電圧を設定するよう前記電源部を制御する制御部と
を備えることを特徴とする製版装置。
【請求項２】
複数の発熱素子が配列された発熱抵抗体をそれぞれ有する複数のブロックが連結されて形成され、前記発熱素子によりマスタに穿孔して製版画像を形成するサーマルヘッドと、
前記サーマルヘッドに対し、前記複数のブロックごとに電圧を供給する電源部と、
製版画像が跨る前記ブロック間の境界を介して連続する複数の前記ブロックに対しては、製版画像が跨る各境界において当該境界を挟んで互いに隣接する前記発熱素子どうしの電力が等しくなるように前記各ブロックの電圧を設定し、隣接する前記ブロックとの間の境界を跨る製版画像がない前記ブロックに対しては、当該ブロックにおける前記発熱素子の平均抵抗値に応じた電圧を設定するよう前記電源部を制御する制御部と
を備えることを特徴とする製版装置。
【請求項３】
前記制御部は、製版画像の配置を調整することで製版画像が跨る前記ブロック間の境界の数を減少可能である場合において、製版画像が跨る前記ブロック間の境界の数が減少するよう製版画像の配置を調整することを特徴とする請求項１または２に記載の製版装置。
【発明の詳細な説明】
【技術分野】
【０００１】
本発明は、マスタを製版する製版装置に関する。
【背景技術】
【０００２】
サーマルヘッドにより孔版印刷のためのマスタの製版を行う製版装置が知られている。サーマルヘッドは、主走査方向に沿って配列された複数の発熱素子を有し、発熱素子によりマスタに穿孔して製版する。
【０００３】
このような製版装置のなかには、サーマルヘッドに対し、主走査方向に区分けされた複数のブロックごとに電圧を設定するものがある。例えば、Ａ２幅のような幅広の版を製版する製版装置において、サーマルヘッドに対し、複数のブロックごとに電圧を設定することが行われている（例えば、特許文献１参照）。この場合、ブロックごとに発熱素子の平均抵抗値に応じた電圧が設定される。これにより、発熱素子の抵抗値のバラツキによる穿孔径のバラツキが軽減される。この結果、製版されたマスタを用いた印刷画像における濃度のバラツキが抑えられる。
【先行技術文献】
【特許文献】
【０００４】
【特許文献１】特開２０１３−１６９７３７号公報
【発明の概要】
【発明が解決しようとする課題】
【０００５】
しかしながら、上述のようにブロックごとに発熱素子の平均抵抗値に応じた電圧を設定すると、ブロック間の設定電圧の違いにより、ブロックの境界を挟んで互いに隣接する発熱素子間の電力（エネルギー）の差が大きくなることがある。この結果、ブロックの境界を挟んで互いに隣接する発熱素子間の穿孔径の差が大きくなることがある。このため、ブロックの境界を跨ぐ製版画像に対応する印刷画像におけるブロックの境界の一方側と他方側との間で濃度差が目立つようになり、印刷画質が低下することがある。
【０００６】
サーマルヘッド全体における発熱素子の平均抵抗値に応じた電圧をサーマルヘッド全体に設定すれば、上述のような、ブロックの境界を挟んで互いに隣接する発熱素子間の電力の差を抑えられる。このため、ブロックの境界を跨ぐ製版画像に対応する印刷画像におけるブロックの境界の一方側と他方側との間の濃度差は目立ちにくくなる。
【０００７】
しかし、この場合、サーマルヘッド全体における発熱素子の電力のバラツキによる穿孔径のバラツキが大きくなる。この結果、製版された版を用いて印刷された印刷画像全体における濃度のバラツキが大きくなり、印刷画質が低下することがある。例えば、マーキング製版で複数のマーク画像を１枚の版に製版する場合において、印刷画像における各マーク画像の濃度にバラツキが生じるおそれがある。
【０００８】
本発明は上記に鑑みてなされたもので、印刷画質の低下を軽減可能な版を製版できる製版装置を提供することを目的とする。
【課題を解決するための手段】
【０００９】
上記目的を達成するため、本発明の一態様によれば、主走査方向に沿って複数の発熱素子が配列され、前記複数の発熱素子の抵抗値が主走査方向に沿って連続性を有する発熱抵抗体を備え、前記発熱素子によりマスタに穿孔して製版画像を形成するサーマルヘッドと、前記サーマルヘッドに対し、前記発熱抵抗体が主走査方向に区分けされた複数のブロックごとに電圧を供給する電源部と、製版画像が跨る前記ブロック間の境界を介して連続する複数の前記ブロックに対しては、当該複数の前記ブロックの前記発熱素子の平均抵抗値に応じた同一の電圧を設定し、隣接する前記ブロックとの間の境界を跨る製版画像がない前記ブロックに対しては、当該ブロックにおける前記発熱素子の平均抵抗値に応じた電圧を設定するよう前記電源部を制御する制御部とを備えることを特徴とする製版装置が提供される。
【００１０】
本発明の他の態様によれば、複数の発熱素子が配列された発熱抵抗体をそれぞれ有する複数のブロックが連結されて形成され、前記発熱素子によりマスタに穿孔して製版画像を形成するサーマルヘッドと、前記サーマルヘッドに対し、前記複数のブロックごとに電圧を供給する電源部と、製版画像が跨る前記ブロック間の境界を介して連続する複数の前記ブロックに対しては、製版画像が跨る各境界において当該境界を挟んで互いに隣接する前記発熱素子どうしの電力が等しくなるように前記各ブロックの電圧を設定し、隣接する前記ブロックとの間の境界を跨る製版画像がない前記ブロックに対しては、当該ブロックにおける前記発熱素子の平均抵抗値に応じた電圧を設定するよう前記電源部を制御する制御部とを備えることを特徴とする製版装置が提供される。
【発明の効果】
【００１１】
本発明の製版装置によれば、印刷画質の低下を軽減可能な版を製版できる。
【図面の簡単な説明】
【００１２】
【図１】第１実施形態に係る製版装置の全体斜視図である。
【図２】第１実施形態におけるサーマルヘッドの概略構成図である。
【図３】図１に示す製版装置の制御ブロック図である。
【図４】第１実施形態における電圧設定方式決定処理のフローチャートである。
【図５】ブロック境界を跨ぐ製版画像の一例を示す図である。
【図６】ブロック境界を跨ぐ製版画像がない画像パターンの一例を示す図である。
【図７】（ａ）は、製版画像の配置調整前の画像パターンの一例を示す図である。（ｂ）は、（ａ）の画像パターンに対する製版画像の配置調整後の画像パターンの一例を示す図である。
【図８】第１実施形態のサーマルヘッドにおける発熱素子の抵抗値、および設定電圧の一例を示す図である。
【図９】個別電圧設定方式の場合におけるブロック境界を挟んで隣接する２つの発熱素子の電力差を説明するための図である。
【図１０】全体電圧設定方式の場合におけるブロック境界を挟んで隣接する２つの発熱素子の電力差を説明するための図である。
【図１１】第２実施形態におけるサーマルヘッドの概略構成図である。
【図１２】第２実施形態のサーマルヘッドにおける発熱素子の抵抗値、および設定電圧の一例を示す図である。
【発明を実施するための形態】
【００１３】
以下、本発明の実施の形態について、図面を参照して説明する。各図面を通じて同一もしくは同等の部位や構成要素には、同一もしくは同等の符号を付している。
【００１４】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１５】
［第１実施形態］
図１は、本発明の第１実施形態に係る製版装置の全体斜視図である。図２は、図１に示す製版装置のサーマルヘッドの概略構成図である。図３は、図１に示す製版装置の制御ブロック図である。なお、以下の説明において、図１の矢印で示す上下左右前後を上下左右前後方向とする。
【００１６】
図１に示すように、第１実施形態に係る製版装置１は、筐体２と、製版部３と、移動機構部４と、移動式位置決め部材５と、ガイドシャフト６Ａ，６Ｂと、制御部７とを備える。
【００１７】
筐体２は、製版装置１の各部を収納する。筐体２は、上側が開口した箱状に形成されている。
【００１８】
製版部３は、枠張りマスタ１１を製版する。枠張りマスタ１１は、矩形の枠体１２にマスタ１３を張設したものである。枠張りマスタ１１は、筐体２に設けられた支持部（図示せず）に前端部が支持され、移動式位置決め部材５に後端部が支持されるように製版装置１にセットされる。枠張りマスタ１１のマスタ１３は、シルク、合成樹脂、ステンレス等からなる縦糸と横糸とが編み上げられて形成されたメッシュ状の紗に、熱可塑性樹脂からなる熱溶融性フィルムが接着剤により接着されて形成されている。
【００１９】
製版部３は、図１、図３に示すように、プラテンローラ２１と、プラテンカバー２２と、サーマルヘッド２３と、サーマルヘッド電源部（請求項の電源部に相当）２４と、ヘッドベース２５とを備える。
【００２０】
プラテンローラ２１は、サーマルヘッド２３に枠張りマスタ１１のマスタ１３を上側から押圧する。プラテンローラ２１は、左右方向に細長い円柱形状に形成されている。プラテンローラ２１は、図示しないバネによりサーマルヘッド２３側に押圧付勢されている。
【００２１】
プラテンカバー２２は、プラテンローラ２１を覆うとともに、プラテンローラ２１を回転可能に保持する。プラテンカバー２２は、後述するスライダ４１Ａ，４１Ｂに、回動軸２２ａを中心として回動可能に取り付けられている。
【００２２】
サーマルヘッド２３は、枠張りマスタ１１のマスタ１３に穿孔して製版画像を形成する。サーマルヘッド２３は、製版装置１にセットされた枠張りマスタ１１のマスタ１３の下側に配置されている。サーマルヘッド２３は、左右方向に細長い形状を有する。サーマルヘッド２３は、Ａ２幅のような幅広の版を製版可能な長尺のサーマルヘッドである。
【００２３】
サーマルヘッド２３は、図２に示すように、発熱抵抗体３１と、複数のドライバＩＣ３２と、電極３３Ａ，３３Ｂ，３４Ａ，３４Ｂとを備える。
【００２４】
発熱抵抗体３１は、主走査方向（左右方向）に沿って所定間隔で配列された複数の発熱素子３６を有する。発熱抵抗体３１は、サーマルヘッド２３の左端部から右端部にわたって延びるように形成されている。
【００２５】
発熱素子３６は、電圧がかけられることにより発熱してマスタ１３に穿孔する。各発熱素子３６は、発熱抵抗体３１を構成する発熱抵抗体材料に積層された配線材料層の発熱素子３６を形成する部分を除去し、発熱抵抗体材料を露出させることにより形成されている。ここで、配線材料層は、発熱素子３６とドライバＩＣ３２とを接続するための配線を構成する材料からなるものである。
【００２６】
各発熱素子３６は、所定の抵抗値を有するように形成されている。ただし、各発熱素子３６の抵抗値には、製造誤差によるバラツキがある。また、各発熱素子３６が上述のように１つの発熱抵抗体材料から形成されたものであるため、発熱抵抗体３１における発熱素子３６の抵抗値が主走査方向に沿って連続性を有するようになっている（図８参照）。すなわち、各発熱素子３６の抵抗値にはバラツキがあるが、隣接する発熱素子３６間の抵抗値の差は所定値以下に抑えられている。
【００２７】
ドライバＩＣ３２は、製版用の画像データに基づき、複数の発熱素子３６を選択的に駆動させる。各ドライバＩＣ３２は、それぞれに割り振られた複数の発熱素子３６を駆動させる。ここで、製版用の画像データは、画素ごとの穿孔の有無を示すデータである。
【００２８】
電極３３Ａ，３３Ｂ，３４Ａ，３４Ｂは、サーマルヘッド電源部２４からの電圧を発熱抵抗体３１の発熱素子３６に供給するための電極である。
【００２９】
ここで、製版装置１では、サーマルヘッド２３に対して、発熱抵抗体３１が区分けされた左側のブロック２３ａと右側のブロック２３ｂとに個別に電圧が供給される。すなわち、サーマルヘッド２３は、電圧の供給元により、左側のブロック２３ａと右側のブロック２３ｂとに区分けされている。
【００３０】
電極３３Ａ，３３Ｂは、左側のブロック２３ａの発熱素子３６に後述するサーマルヘッド電源部２４の電源３７Ａからの電圧を供給するためのものである。電極３４Ａ，３４Ｂは、右側のブロック２３ｂの発熱素子３６に電源３７Ｂからの電圧を供給するためのものである。電極３３Ａ，３４Ａは電源電圧が供給される電源電極であり、電極３３Ｂ，３４Ｂは接地電極である。
【００３１】
サーマルヘッド電源部２４は、サーマルヘッド２３に発熱素子３６を駆動させるための電圧を供給する。サーマルヘッド電源部２４は、電源３７Ａ，３７Ｂを有する。電源３７Ａは、サーマルヘッド２３の左側のブロック２３ａに電圧を供給する。電源３７Ｂは、サーマルヘッド２３の右側のブロック２３ｂに電圧を供給する。
【００３２】
ヘッドベース２５は、サーマルヘッド２３を支持する。ヘッドベース２５は、左右方向に細長い板状に形成されている。ヘッドベース２５は、後述するスライダ４１Ａ，４１Ｂに固定されている。
【００３３】
移動機構部４は、製版部３を前後方向（副走査方向）に移動させる。移動機構部４は、スライダ４１Ａ，４１Ｂと、移動モータ４２とを備える。
【００３４】
スライダ４１Ａ，４１Ｂは、製版部３を前後方向に移動させるために、ガイドシャフト６Ａ，６Ｂに沿って前後方向に移動するものである。スライダ４１Ａ，４１Ｂは、左右方向に互いに離間して配置されている。スライダ４１Ａ，４１Ｂは、移動モータ４２の駆動力により前後方向に移動可能に構成されている。スライダ４１Ａ，４１Ｂには、プラテンカバー２２が接続されるとともに、ヘッドベース２５が接続されている。これにより、スライダ４１Ａ，４１Ｂとともに製版部３が前後方向に移動するようになっている。
【００３５】
移動モータ４２は、スライダ４１Ａ，４１Ｂを移動させるための駆動力を発生する。
【００３６】
移動式位置決め部材５は、枠張りマスタ１１の後端部における枠体１２を支持する。移動式位置決め部材５は、ガイドシャフト６Ａ，６Ｂに沿って前後方向に移動可能になっている。移動式位置決め部材５は、枠体搭載部４６と、スライダ４７Ａ，４７Ｂとを備える。
【００３７】
枠体搭載部４６は、枠体１２の後端部を支持する部分である。枠体搭載部４６は、左右方向に細長い形状に形成されている。
【００３８】
スライダ４７Ａ，４７Ｂは、枠体搭載部４６を支持するとともに、ガイドシャフト６Ａ，６Ｂに沿って前後方向に移動する部分である。スライダ４７Ａ，４７Ｂは、それぞれ枠体搭載部４６の左端部、右端部に接続されている。
【００３９】
ガイドシャフト６Ａ，６Ｂは、スライダ４１Ａ，４１Ｂおよび移動式位置決め部材５の前後方向の移動をガイドする。ガイドシャフト６Ａ，６Ｂは、前後方向に延びる長尺状に形成され、筐体２内において互いに左右方向に離間して設置されている。
【００４０】
制御部７は、製版装置１の各部の動作を制御する。制御部７は、ＣＰＵ、ＲＡＭ、ＲＯＭ、ハードディスク等を備えて構成される。
【００４１】
制御部７は、製版時において、製版画像がブロック２３ａ，２３ｂ間の境界（ブロック境界）を跨ぐ場合、ブロック２３ａ，２３ｂに対して、全体電圧設定方式により電圧を設定するよう電源３７Ａ，３７Ｂを制御する。全体電圧設定方式は、両ブロック２３ａ，２３ｂに対して、サーマルヘッド２３全体の発熱素子３６の平均抵抗値に応じた同一の電圧を設定する方式である。
【００４２】
ブロック境界を跨ぐ製版画像がない場合、制御部７は、ブロック２３ａ，２３ｂに対して、個別電圧設定方式により電圧を設定するよう電源３７Ａ，３７Ｂを制御する。個別電圧設定方式は、ブロック２３ａ，２３ｂに対して、ブロック２３ａ，２３ｂのそれぞれにおける発熱素子３６の平均抵抗値に応じた個別の電圧を設定する方式である。
【００４３】
次に、枠張りマスタ１１の製版を行う製版装置１の動作について説明する。
【００４４】
枠張りマスタ１１の製版を行う際、制御部７は、電圧設定方式決定処理を行う。電圧設定方式決定処理は、サーマルヘッド２３のブロック２３ａ，２３ｂに対する電圧設定方式を、上述した全体電圧設定方式または個別電圧設定方式に決定する処理である。
【００４５】
電圧設定方式決定処理について、図４のフローチャートを参照して説明する。
【００４６】
図４のステップＳ１において、制御部７は、製版用の画像データに基づき、ブロック境界を跨ぐ製版画像があるか否かを判断する。制御部７は、画像データにおける主走査ラインのなかに、ブロック境界を挟んで互いに隣接する２つの画素がいずれも穿孔を行う画素である主走査ラインが含まれる場合、ブロック境界を跨ぐ製版画像があると判断する。なお、制御部７は、ブロック境界の画像データ上での位置を予め記憶している。
【００４７】
ここで、例えば、図５に示す製版画像５１は、ブロック境界を跨ぐものである。一方、例えば、図６のように製版画像５２が配置された画像パターンの場合、ブロック境界は空白部分を通り、ブロック境界を跨ぐ製版画像５２はない。ここで、図６の画像パターンは、マーク画像である複数の製版画像５２が配置されたマーキング製版の画像パターンである。
【００４８】
図４に戻り、ブロック境界を跨ぐ製版画像があると判断した場合（ステップＳ１：ＹＥＳ）、ステップＳ２において、制御部７は、製版画像の配置の調整によりブロック境界を製版画像が跨がないようにすることができるか否かを判断する。
【００４９】
具体的には、製版画像を主走査方向にずらすことでブロック境界が空白部分を通るように調整可能である場合、製版画像の配置の調整によりブロック境界を製版画像が跨がないようにすることができる。
【００５０】
例えば、図７（ａ）のように製版画像５２が配置された画像パターンでは、各製版画像５２を主走査方向にずらすことで、図７（ｂ）に示すように、ブロック境界を製版画像５２が跨がないようにすることが可能である。このように製版画像５２の配置を調整しても、印刷画像の内容を実質的に維持できる。
【００５１】
ところで、図７のようなマーキング製版の画像パターンでは、印刷物において各マーク画像を切り離して使用するため、各製版画像５２の相対位置関係は変更可能である。このため、例えば、３列のうちの左から２列の各製版画像５２のみを左側にずらすことで、ブロック境界を製版画像５２が跨がないようにすることも可能である。
【００５２】
ここで、例えば、図５の製版画像５１の場合、ブロック境界が空白部分を通るように製版画像５１をずらすためには、製版画像５１の周囲を囲む矩形で示す版のサイズの範囲を超えて製版画像５１をずらす必要がある。このため、この場合、製版画像５１を主走査方向にずらすことで空白部分をブロック境界が通るように調整することは不可能である。
【００５３】
図４に戻り、製版画像の配置の調整によりブロック境界を製版画像が跨がないようにすることができると判断した場合（ステップＳ２：ＹＥＳ）、ステップＳ３において、制御部７は、ブロック境界を製版画像が跨がないように画像データにおける製版画像の配置を調整する。
【００５４】
次いで、ステップＳ４において、制御部７は、電圧設定方式を個別電圧設定方式に決定する。
【００５５】
個別電圧設定方式における左側のブロック２３ａに対する設定電圧Ｖａ、右側のブロック２３ｂに対する設定電圧Ｖｂは、それぞれ下記の式（１）、式（２）により表される。
【００５６】
Ｖａ＝（Ｐ×Ｒａ）１／２  …（１）
Ｖｂ＝（Ｐ×Ｒｂ）１／２  …（２）
ここで、Ｒａは、ブロック２３ａにおける発熱素子３６の平均抵抗値である。Ｒｂは、ブロック２３ｂにおける発熱素子３６の平均抵抗値である。Ｐは、発熱素子３６において所定の穿孔径でマスタ１３に穿孔するための設定電力である。
【００５７】
ステップＳ１において、ブロック境界を跨ぐ製版画像はないと判断した場合（ステップＳ１：ＮＯ）、制御部７は、ステップＳ４に進み、電圧設定方式を個別電圧設定方式に決定する。
【００５８】
ステップＳ２において、ブロック境界を製版画像が跨がないようにすることはできないと判断した場合（ステップＳ２：ＮＯ）、ステップＳ５において、制御部７は、電圧設定方式を全体電圧設定方式に決定する。
【００５９】
全体電圧設定方式における設定電圧Ｖｔは、下記の式（３）により表される。
【００６０】
Ｖｔ＝（Ｐ×Ｒｔ）１／２  …（３）
ここで、Ｒｔは、サーマルヘッド２３におけるすべての発熱素子３６の平均抵抗値である。
【００６１】
ステップＳ４またはステップＳ５においてブロック２３ａ，２３ｂに対する電圧設定方式が決定されると、電圧設定方式決定処理が終了となる。
【００６２】
電圧設定方式決定処理により電圧設定方式を決定すると、制御部７は、決定した電圧設定方式に応じた電圧をブロック２３ａ，２３ｂに供給するよう電源３７Ａ，３７Ｂを制御する。
【００６３】
そして、制御部７は、移動機構部４により製版部３をマスタ１３の前端部から後側へ向かって移動させつつ、サーマルヘッド２３により画像データに基づく穿孔画像をマスタ１３に形成させる。
【００６４】
ここで、サーマルヘッド２３における発熱素子３６の抵抗値、および上述の設定電圧Ｖａ，Ｖｂ，Ｖｔの一例を図８に示す。
【００６５】
前述のように、発熱素子３６の抵抗値には、図８に示すようにバラツキがある。このため、ブロック２３ａ，２３ｂのそれぞれにおける発熱素子３６の平均抵抗値Ｒａ，Ｒｂが互いに異なり、また、それらがサーマルヘッド２３全体における発熱素子３６の平均抵抗値Ｒｔとは異なることがある。
【００６６】
図８の例では、Ｒａ＝３０５０［Ω］、Ｒｂ＝３２５０［Ω］、Ｒｔ＝３１５０［Ω］である。発熱素子３６における設定電力Ｐ＝０．０８［Ｗ］とすると、前述の式（１）〜式（３）より、Ｖａ＝１５．６［Ｖ］、Ｖｂ＝１６．１［Ｖ］、Ｖｔ＝１５．９［Ｖ］となる。
【００６７】
また、図８の例において、図９、図１０に示すように、ブロック境界を挟んで隣接する２つの発熱素子３６のうちの左側の発熱素子３６ｌの抵抗値Ｒｌ＝３１０５［Ω］、右側の発熱素子３６ｒの抵抗値Ｒｒ＝３１０７［Ω］とする。ここで、図８のように、各発熱素子３６の抵抗値は主走査方向に沿って連続性を有するため、抵抗値Ｒｌと抵抗値Ｒｒとは同程度の値である。
【００６８】
個別電圧設定方式の場合、図９に示すように、発熱素子３６ｌの電力Ｐｌ＝０．０７８［Ｗ］となり、発熱素子３６ｒの電力Ｐｒ＝０．０８３［Ｗ］となる。すなわち、発熱素子３６ｌと発熱素子３６ｒとの間で比較的大きな電力差が生じる。
【００６９】
全体電圧設定方式の場合、図１０に示すように、発熱素子３６ｌの電力Ｐｌ＝０．０８１［Ｗ］となり、発熱素子３６ｒの電力Ｐｒ＝０．０８１［Ｗ］となる。すなわち、発熱素子３６ｌと発熱素子３６ｒとの間で電力差はほぼ生じない。
【００７０】
ここで、発熱素子３６による穿孔径は、電力に比例する。また、穿孔径が大きいほど、印刷画像における濃度が高くなる。
【００７１】
このため、個別電圧設定方式の場合、印刷画像において、発熱素子３６ｌが穿孔した画素と発熱素子３６ｒが穿孔した画素との間で濃度差が大きくなる。したがって、ブロック境界を跨ぐ製版画像がある場合に個別電圧設定方式を用いると、ブロック境界を跨ぐ製版画像に対応する印刷画像において、ブロック境界の一方側と他方側との間で濃度差が目立つことがある。
【００７２】
これに対し、全体電圧設定方式の場合、印刷画像において、発熱素子３６ｌが穿孔した画素と発熱素子３６ｒが穿孔した画素との間の濃度差はほとんど生じない。
【００７３】
このため、製版装置１では、前述のように、ブロック境界を跨ぐ製版画像がある場合は、全体電圧設定方式によりブロック２３ａ，２３ｂに電圧を設定する。
【００７４】
一方、全体電圧設定方式では、個別電圧設定方式よりも、サーマルヘッド２３全体における各発熱素子３６による穿孔径のバラツキが大きくなる。
【００７５】
例えば、図８に示すように、抵抗値が最大の発熱素子３６における抵抗値Ｒｍａｘ＝３４００［Ω］、抵抗値が最小の発熱素子３６における抵抗値Ｒｍｉｎ＝２９５０［Ω］とする。また、抵抗値が最大の発熱素子３６は右側のブロック２３ｂにあり、抵抗値が最小の発熱素子３６は左側のブロック２３ａにあるとする。
【００７６】
この場合、抵抗値が最大の発熱素子３６の全体電圧設定方式における電力Ｐｍｔ＝Ｖｔ２／Ｒｍａｘ＝０．０７３［Ｗ］となる。また、抵抗値が最大の発熱素子３６の個別電圧設定方式における電力Ｐｍｓ＝Ｖｂ２／Ｒｍａｘ＝０．０７６［Ｗ］となる。また、抵抗値が最小の発熱素子３６の全体電圧設定方式における電力Ｐｎｔ＝Ｖｔ２／Ｒｍｉｎ＝０．０８５［Ｗ］となる。また、抵抗値が最小の発熱素子３６の個別電圧設定方式における電力Ｐｎｓ＝Ｖａ２／Ｒｍｉｎ＝０．０８２［Ｗ］となる。
【００７７】
上記のように、全体電圧設定方式における電力Ｐｍｔ，Ｐｎｔのほうが、個別電圧設定方式における電力Ｐｍｓ，Ｐｎｓよりも、設定電力Ｐ＝０．０８［Ｗ］に対するずれ量が大きい。すなわち、全体電圧設定方式では、個別電圧設定方式よりも、サーマルヘッド２３全体における各発熱素子３６における電力のバラツキが大きくなるので、各発熱素子３６による穿孔径のバラツキが大きくなる。
【００７８】
このため、全体電圧設定方式では、個別電圧設定方式よりも、製版されたマスタ１３を用いて印刷された印刷画像全体における濃度のバラツキが大きくなる。このことから、全体電圧設定方式では、例えば、図６のようなマーキング製版の画像パターンを製版して印刷する場合において、各製版画像５２の印刷画像の濃度にバラツキが生じることがある。
【００７９】
そこで、製版装置１では、前述のように、ブロック境界を跨ぐ製版画像がない場合は、個別電圧設定方式によりブロック２３ａ，２３ｂに電圧を設定する。
【００８０】
以上説明したように、製版装置１では、制御部７は、製版時において、製版画像がブロック境界を跨ぐ場合、ブロック２３ａ，２３ｂに対して、全体電圧設定方式により電圧を設定するよう電源３７Ａ，３７Ｂを制御する。ブロック境界を跨ぐ製版画像がない場合、制御部７は、ブロック２３ａ，２３ｂに対して、個別電圧設定方式により電圧を設定するよう電源３７Ａ，３７Ｂを制御する。
【００８１】
これにより、ブロック境界を跨ぐ製版画像がある場合には、ブロック境界を跨ぐ製版画像に対応する印刷画像においてブロック境界の一方側と他方側との間で濃度差が目立つことを抑制できる版を製版できる。また、ブロック境界を跨ぐ製版画像がない場合には、印刷画像全体における濃度のバラツキを抑制できる版を製版できる。この結果、製版装置１によれば、印刷画質の低下を軽減可能な版を製版できる。
【００８２】
また、制御部７は、製版画像がブロック境界を跨ぐ場合において、製版画像の配置の調整によりブロック境界を製版画像が跨がないようにすることができる場合、ブロック境界を製版画像が跨がないように製版画像の配置を調整する。
【００８３】
これにより、本来は製版画像がブロック境界を跨ぐ場合でも、製版画像の内容を実質的に維持しつつ、個別電圧設定方式により電圧を設定して製版を行うことができる。この結果、本来は製版画像がブロック境界を跨ぐ場合でも、印刷画像の内容を実質的に維持しつつ、印刷画像全体における濃度のバラツキを低減できる版を製版できる。
【００８４】
［第２実施形態］
次に、上述した第１実施形態のサーマルヘッドおよび電圧設定方式を変更した第２実施形態について説明する。
【００８５】
図１１は、第２実施形態におけるサーマルヘッドの概略構成図である。図１１に示すように、第２実施形態におけるサーマルヘッド６１は、それぞれ短尺サーマルヘッドからなるブロック６２Ａ，６２Ｂを主走査方向に連結して形成されている。サーマルヘッド６１は、第１実施形態のサーマルヘッド２３と同様に、Ａ２幅のような幅広の版を製版可能な長尺のサーマルヘッドである。
【００８６】
ブロック６２Ａは、発熱抵抗体６３Ａと、複数のドライバＩＣ３２と、電極３３Ａ，３３Ｂとを備える。ブロック６２Ｂは、発熱抵抗体６３Ｂと、複数のドライバＩＣ３２と、電極３４Ａ，３４Ｂとを備える。
【００８７】
ブロック６２Ａの発熱抵抗体６３Ａは、主走査方向（左右方向）に沿って所定間隔で配列された複数の発熱素子３６を有する。発熱抵抗体６３Ａは、第１実施形態の発熱抵抗体３１と同様のものを短尺で形成したものである。ブロック６２Ｂの発熱抵抗体６３Ｂは、発熱抵抗体６３Ａと同様の構成を有する。
【００８８】
ブロック６２Ａの発熱抵抗体６３Ａとブロック６２Ｂの発熱抵抗体６３Ｂとは、個別に形成されたものである。このため、ブロック６２Ａ，６２Ｂ間（発熱抵抗体６３Ａ，６３Ｂ間）では、発熱素子３６の抵抗値は連続性を有していない。
【００８９】
ブロック６２Ａの複数のドライバＩＣ３２は、製版用の画像データに基づき、ブロック６２Ａの発熱抵抗体６３Ａの複数の発熱素子３６を選択的に駆動させる。ブロック６２Ｂの複数のドライバＩＣ３２は、製版用の画像データに基づき、ブロック６２Ｂの発熱抵抗体６３Ｂの複数の発熱素子３６を選択的に駆動させる。
【００９０】
ブロック６２Ａの電極３３Ａ，３３Ｂは、サーマルヘッド電源部２４の電源３７Ａからの電圧を発熱抵抗体６３Ａの発熱素子３６に供給するための電極である。ブロック６２Ｂの電極３４Ａ，３４Ｂは、サーマルヘッド電源部２４の電源３７Ｂからの電圧を発熱抵抗体６３Ｂの発熱素子３６に供給するための電極である。電極３３Ａ，３４Ａは電源電圧が供給される電源電極であり、電極３３Ｂ，３４Ｂは接地電極である。
【００９１】
第２実施形態では、サーマルヘッド電源部２４の電源３７Ａは、サーマルヘッド６１の左側のブロック６２Ａに電圧を供給する。電源３７Ｂは、サーマルヘッド６１の右側のブロック６２Ｂに電圧を供給する。
【００９２】
第２実施形態では、制御部７は、製版時において、製版画像がブロック６２Ａ，６２Ｂ間の境界（ブロック境界）を跨ぐ場合、ブロック６２Ａ，６２Ｂに対して、境界基準方式により電圧を設定するよう電源３７Ａ，３７Ｂを制御する。境界基準方式は、ブロック境界を挟んで互いに隣接する発熱素子３６どうしの電力が等しくなるように各ブロック６２Ａ，６２Ｂに個別の電圧を設定する方式である。
【００９３】
ブロック境界を跨ぐ製版画像がない場合、制御部７は、ブロック６２Ａ，６２Ｂに対して、平均抵抗値基準方式により電圧を設定するよう電源３７Ａ，３７Ｂを制御する。平均抵抗値基準方式は、第１実施形態における個別電圧設定方式と同様の方式である。すなわち、平均抵抗値基準方式は、ブロック６２Ａ，６２Ｂに対して、ブロック６２Ａ，６２Ｂのそれぞれにおける発熱素子３６の平均抵抗値に応じた個別の電圧を設定する方式である。
【００９４】
第２実施形態における電圧設定方式決定処理は、上述した第１実施形態における電圧設定方式決定処理と同様の手順で行われる。ただし、第１実施形態では電圧設定方式を全体電圧設定方式に決定する場合において、第２実施形態では境界基準方式に決定する。また、第１実施形態において電圧設定方式を個別電圧設定方式に決定する場合において、第２実施形態では、個別電圧設定方式と同様の方式である平均抵抗値基準方式に決定する。
【００９５】
平均抵抗値基準方式では、左側のブロック６２Ａに対して前述の式（１）で表される設定電圧Ｖａが設定され、右側のブロック６２Ｂに対して式（２）で表される設定電圧Ｖｂが設定される。ここで、第２実施形態では、式（１）のＲａは、ブロック６２Ａにおける発熱素子３６の平均抵抗値である。また、式（２）のＲｂは、ブロック６２Ｂにおける発熱素子３６の平均抵抗値である。
【００９６】
境界基準方式によりブロック６２Ａ，６２Ｂにそれぞれ設定される設定電圧Ｖｌ，Ｖｒは、次のように算出されるものである。
【００９７】
まず、ブロック６２Ａ，６２Ｂにそれぞれ平均抵抗値Ｒａ，Ｒｂに応じた設定電圧Ｖａ，Ｖｂを設定した場合における、ブロック境界を挟んで互いに隣接する２つの発熱素子３６の電力Ｐｌ，Ｐｒを、下記の式（４）、式（５）により算出する。
【００９８】
Ｐｌ＝Ｖａ２／Ｒｌ  …（４）
Ｐｒ＝Ｖｂ２／Ｒｒ  …（５）
ここで、電力Ｐｌは、ブロック境界を挟んで互いに隣接する２つの発熱素子３６のうちの左側の発熱素子３６（発熱抵抗体６３Ａの右端の発熱素子３６）の電力である。電力Ｐｒは、ブロック境界を挟んで互いに隣接する２つの発熱素子３６のうちの右側の発熱素子３６（発熱抵抗体６３Ｂの左端の発熱素子３６）の電力である。Ｒｌは、ブロック境界を挟んで互いに隣接する２つの発熱素子３６のうちの左側の発熱素子３６（発熱抵抗体６３Ａの右端の発熱素子３６）の抵抗値である。Ｒｒは、ブロック境界を挟んで互いに隣接する２つの発熱素子３６のうちの右側の発熱素子３６（発熱抵抗体６３Ｂの左端の発熱素子３６）の抵抗値である。
【００９９】
次いで、下記の式（６）により、電力Ｐｌ，Ｐｒの平均電力Ｐａｖを算出する。
【０１００】
Ｐａｖ＝（Ｐｌ＋Ｐｒ）／２  …（６）
そして、ブロック境界を挟んで互いに隣接する２つの発熱素子３６の電力がいずれも平均電力Ｐａｖになるように、下記の式（７）、式（８）により、ブロック６２Ａ，６２Ｂの設定電圧Ｖｌ，Ｖｒを算出する。
【０１０１】
Ｖｌ＝（Ｐａｖ×Ｒｌ）１／２  …（７）
Ｖｒ＝（Ｐａｖ×Ｒｒ）１／２  …（８）
上記の設定電圧Ｖｌ，Ｖｒをブロック６２Ａ，６２Ｂに設定することで、ブロック境界を挟んで互いに隣接する発熱素子３６どうしの電力が等しくなるので、それらの発熱素子３６による穿孔径が同程度になる。このため、ブロック境界を跨ぐ製版画像に対応する印刷画像においてブロック境界の一方側と他方側との間で濃度差が目立つことが抑制される。
【０１０２】
ここで、サーマルヘッド６１における発熱素子３６の抵抗値、および上述の設定電圧Ｖａ，Ｖｂ，Ｖｌ，Ｖｒの一例を図１２に示す。
【０１０３】
前述のように、サーマルヘッド６１のブロック６２Ａ，６２Ｂ間（発熱抵抗体６３Ａ，６３Ｂ間）では、発熱素子３６の抵抗値は、図１２に示すように、連続性を有していない。
【０１０４】
図１２の例では、Ｒａ＝３１００［Ω］、Ｒｂ＝３２５０［Ω］である。発熱素子３６における設定電力Ｐ＝０．０８［Ｗ］とすると、前述の式（１）、式（２）より、Ｖａ＝１５．７５［Ｖ］、Ｖｂ＝１６．１２［Ｖ］となる。
【０１０５】
また、図１２の例では、ブロック境界を挟んで隣接する２つの発熱素子３６のうちの左側の発熱素子３６の抵抗値Ｒｌ＝３０５０［Ω］、右側の発熱素子３６の抵抗値Ｒｒ＝３１５０［Ω］である。このため、式（４）〜式（７）より、Ｖｌ＝１５．８１［Ｖ］、Ｖｒ＝１６．０６［Ｖ］となる。
【０１０６】
以上説明したように、第２実施形態では、制御部７は、製版時において、製版画像がブロック境界を跨ぐ場合、ブロック６２Ａ，６２Ｂに対して、境界基準方式により電圧を設定するよう電源３７Ａ，３７Ｂを制御する。ブロック境界を跨ぐ製版画像がない場合、制御部７は、ブロック６２Ａ，６２Ｂに対して、平均抵抗値基準方式により電圧を設定するよう電源３７Ａ，３７Ｂを制御する。
【０１０７】
これにより、ブロック境界を跨ぐ製版画像がある場合には、ブロック境界を跨ぐ製版画像に対応する印刷画像においてブロック境界の一方側と他方側との間で濃度差が目立つことを抑制できる版を製版できる。また、ブロック境界を跨ぐ製版画像がない場合には、印刷画像全体における濃度のバラツキを抑制できる版を製版できる。この結果、第２実施形態でも、第１実施形態と同様に、印刷画質の低下を軽減可能な版を製版できる。
【０１０８】
また、第２実施形態においても、第１実施形態と同様に、制御部７は、製版画像がブロック境界を跨ぐ場合において、製版画像の配置の調整によりブロック境界を製版画像が跨がないようにすることができる場合、ブロック境界を製版画像が跨がないように製版画像の配置を調整する。
【０１０９】
これにより、本来は製版画像がブロック境界を跨ぐ場合でも、製版画像の内容を実質的に維持しつつ、個別電圧設定方式により電圧を設定して製版を行うことができる。この結果、本来は製版画像がブロック境界を跨ぐ場合でも、印刷画像の内容を実質的に維持しつつ、印刷画像全体における濃度のバラツキを低減できる版を製版できる。
【０１１０】
［その他の実施形態］
上述のように、本発明は第１および第２実施形態によって記載したが、この開示の一部をなす論述および図面はこの発明を限定するものであると理解すべきではない。この開示から当業者には様々な代替実施形態、実施例および運用技術が明らかとなろう。
【０１１１】
上述した第１実施形態では、サーマルヘッド電源部が電源を２つ備え、サーマルヘッドを電圧の供給元により２つのブロックに区分けした構成で説明した。しかし、サーマルヘッドを区分けするブロックの数は、２つに限らず、複数であればよい。そして、制御部が、製版画像が跨るブロック境界を介して連続する複数のブロックに対しては、当該複数のブロックの発熱素子の平均抵抗値に応じた同一の電圧を設定し、隣接するブロックとの間の境界を跨る製版画像がないブロックに対しては、当該ブロックにおける発熱素子の平均抵抗値に応じた電圧を設定するようサーマルヘッド電源部を制御するものであればよい。また、制御部が、製版画像の配置を調整することで製版画像が跨るブロック間の境界の数を減少可能である場合において、製版画像が跨るブロック間の境界の数が減少するよう製版画像の配置を調整するようにしてもよい。
【０１１２】
例えば、第１実施形態において、サーマルヘッドが５つのブロックに区分けされ、それぞれのブロックに個別に電圧を設定可能であるとする。ここで、５つのブロックを主走査方向の一方側から順に第１〜第５ブロックとする。
【０１１３】
この場合において、第１ブロックと第２ブロックとの間のブロック境界を跨ぐ製版画像および第２ブロックと第３ブロックとの間のブロック境界を跨ぐ製版画像があるとする。また、第３ブロックと第４ブロックとの間のブロック境界を跨ぐ製版画像、および第４ブロックと第５ブロックとの間のブロック境界を跨ぐ製版画像はないものとする。
【０１１４】
この場合、第１〜第３ブロックが、製版画像が跨るブロック境界を介して連続するブロックとなる。また、第４および第５ブロックは、隣接するブロックとの間の境界を跨る製版画像がないブロックとなる。そして、第１〜第３ブロックに対しては、第１〜第３ブロックの発熱素子の平均抵抗値に応じた同一の電圧が設定される。また、第４および第５ブロックに対しては、それぞれ第４および第５ブロックにおける発熱素子の平均抵抗値に応じた電圧が設定される。
【０１１５】
これにより、第１〜第３ブロックのブロック境界を跨ぐ製版画像に対応する印刷画像においてブロック境界の一方側と他方側との間で濃度差が目立つことを抑制できるとともに、第４および第５ブロックによる製版画像に対応する印刷画像における濃度のバラツキを抑制できる版を製版できる。この結果、印刷画質の低下を軽減可能な版を製版できる。
【０１１６】
また、この場合において、製版画像の配置を調整することで、第１ブロックと第２ブロックとの間のブロック境界および第２ブロックと第３ブロックとの間のブロック境界の少なくともいずれかが、製版画像が跨ぐブロック境界ではなくなるようにすることが可能である場合は、そのように製版画像の配置を調整してもよい。これにより、製版画像が跨るブロック間の境界の数が減少する。
【０１１７】
例えば、製版画像の配置を調整することで、第２ブロックと第３ブロックとの間のブロック境界が、製版画像が跨ぐブロック境界ではなくなるようにすることが可能である場合において、そのように製版画像の配置調整を行うと、製版画像が跨るブロック間の境界の数が２つから１つに減少する。この場合、第１および第２ブロックに対しては、第１および第２ブロックの発熱素子の平均抵抗値に応じた同一の電圧が設定される。また、第３〜第５ブロックに対しては、それぞれ当該ブロックにおける発熱素子の平均抵抗値に応じた電圧が設定される。
【０１１８】
これにより、印刷画像の内容を実質的に維持しつつ、製版画像の配置調整を行わない場合と比べて、第３〜第５ブロックにおける製版画像に対応する印刷画像における濃度のバラツキを低減できる版を製版できる。すなわち、印刷画像の内容を実質的に維持しつつ、印刷画像全体における濃度のバラツキを低減できる版を製版できる。
【０１１９】
また、上述した第２実施形態では、それぞれ短尺サーマルヘッドである２つのブロックが連結されてサーマルヘッドが構成され、２つのブロックにそれぞれ対応して設けられた２つの電源により各ブロックに電圧を供給する構成について説明した。しかし、サーマルヘッドを構成するブロック（短尺サーマルヘッド）の数は、２つに限らず、複数であればよい。そして、制御部が、製版画像が跨るブロック境界を介して連続する複数のブロックに対しては、製版画像が跨る各ブロック境界において当該ブロック境界を挟んで互いに隣接する発熱素子どうしの電力が等しくなるように各ブロックの電圧を設定し、隣接するブロックとの間の境界を跨る製版画像がないブロックに対しては、当該ブロックにおける発熱素子の平均抵抗値に応じた電圧を設定するようサーマルヘッド電源部を制御するものであればよい。また、制御部が、製版画像の配置を調整することで製版画像が跨るブロック間の境界の数を減少可能である場合において、製版画像が跨るブロック間の境界の数が減少するよう製版画像の配置を調整するようにしてもよい。
【０１２０】
例えば、第２実施形態において、サーマルヘッドが５つのブロック（短尺サーマルヘッド）が連結されて構成され、それぞれのブロックに個別に電圧を設定可能であるとする。ここで、５つのブロックを主走査方向の一方側から順に第１〜第５ブロックとする。
【０１２１】
この場合において、第１ブロックと第２ブロックとの間のブロック境界を跨ぐ製版画像および第２ブロックと第３ブロックとの間のブロック境界を跨ぐ製版画像があるとする。また、第３ブロックと第４ブロックとの間のブロック境界を跨ぐ製版画像、および第４ブロックと第５ブロックとの間のブロック境界を跨ぐ製版画像はないものとする。
【０１２２】
この場合、第１〜第３ブロックが、製版画像が跨るブロック境界を介して連続するブロックとなる。また、第４および第５ブロックは、隣接するブロックとの間の境界を跨る製版画像がないブロックとなる。そして、第１〜第３ブロックに対しては、製版画像が跨る各ブロック境界において当該ブロック境界を挟んで互いに隣接する発熱素子どうしの電力が等しくなるように各ブロックの電圧が設定される。また、第４および第５ブロックに対しては、それぞれ第４および第５ブロックにおける発熱素子の平均抵抗値に応じた電圧が設定される。
【０１２３】
これにより、第１〜第３ブロックのブロック境界を跨ぐ製版画像に対応する印刷画像においてブロック境界の一方側と他方側との間で濃度差が目立つことを抑制できるとともに、第４および第５ブロックによる製版画像に対応する印刷画像における濃度のバラツキを抑制できる版を製版できる。この結果、印刷画質の低下を軽減可能な版を製版できる。
【０１２４】
また、この場合において、製版画像の配置を調整することで、第１ブロックと第２ブロックとの間のブロック境界および第２ブロックと第３ブロックとの間のブロック境界の少なくともいずれかが、製版画像が跨ぐブロック境界ではなくなるようにすることが可能である場合は、そのように製版画像の配置を調整してもよい。これにより、製版画像が跨るブロック間の境界の数が減少する。
【０１２５】
例えば、製版画像の配置を調整することで、第２ブロックと第３ブロックとの間のブロック境界が、製版画像が跨ぐブロック境界ではなくなるようにすることが可能である場合において、そのように製版画像の配置調整を行うと、製版画像が跨るブロック間の境界の数が２つから１つに減少する。この場合、第１および第２ブロックに対しては、第１ブロックと第２ブロックとの間のブロック境界を挟んで互いに隣接する発熱素子どうしの電力が等しくなるように第１および第２ブロックの電圧が設定される。また、第３〜第５ブロックに対しては、それぞれ当該ブロックにおける発熱素子の平均抵抗値に応じた電圧が設定される。
【０１２６】
これにより、印刷画像の内容を実質的に維持しつつ、製版画像の配置調整を行わない場合と比べて、第３〜第５ブロックにおける製版画像に対応する印刷画像における濃度のバラツキを低減できる版を製版できる。すなわち、印刷画像の内容を実質的に維持しつつ、印刷画像全体における濃度のバラツキを低減できる版を製版できる。
【０１２７】
また、上述した第１および第２実施形態では、サーマルヘッドが移動しつつ枠張りマスタに製版する製版装置について説明したが、マスタを搬送しつつ、固定のサーマルヘッドによりマスタに製版する製版装置にも本発明は適用可能である。
【０１２８】
このように、本発明はここでは記載していない様々な実施形態等を含むことは勿論である。したがって、本発明の技術的範囲は上記の説明から妥当な特許請求の範囲に係る発明特定事項によってのみ定められるものである。
【０１２９】
［付記］
本出願は、以下の発明を開示する。
【０１３０】
（付記１）
主走査方向に沿って複数の発熱素子が配列され、前記複数の発熱素子の抵抗値が主走査方向に沿って連続性を有する発熱抵抗体を備え、前記発熱素子によりマスタに穿孔して製版画像を形成するサーマルヘッドと、
前記サーマルヘッドに対し、前記発熱抵抗体が主走査方向に区分けされた複数のブロックごとに電圧を供給する電源部と、
製版画像が跨る前記ブロック間の境界を介して連続する複数の前記ブロックに対しては、当該複数の前記ブロックの前記発熱素子の平均抵抗値に応じた同一の電圧を設定し、隣接する前記ブロックとの間の境界を跨る製版画像がない前記ブロックに対しては、当該ブロックにおける前記発熱素子の平均抵抗値に応じた電圧を設定するよう前記電源部を制御する制御部と
を備えることを特徴とする製版装置。
【０１３１】
（付記２）
複数の発熱素子が配列された発熱抵抗体をそれぞれ有する複数のブロックが連結されて形成され、前記発熱素子によりマスタに穿孔して製版画像を形成するサーマルヘッドと、
前記サーマルヘッドに対し、前記複数のブロックごとに電圧を供給する電源部と、
製版画像が跨る前記ブロック間の境界を介して連続する複数の前記ブロックに対しては、製版画像が跨る各境界において当該境界を挟んで互いに隣接する前記発熱素子どうしの電力が等しくなるように前記各ブロックの電圧を設定し、隣接する前記ブロックとの間の境界を跨る製版画像がない前記ブロックに対しては、当該ブロックにおける前記発熱素子の平均抵抗値に応じた電圧を設定するよう前記電源部を制御する制御部と
を備えることを特徴とする製版装置。
【０１３２】
（付記３）
前記制御部は、製版画像の配置を調整することで製版画像が跨る前記ブロック間の境界の数を減少可能である場合において、製版画像が跨る前記ブロック間の境界の数が減少するよう製版画像の配置を調整することを特徴とする付記１または２に記載の製版装置。
【符号の説明】
【０１３３】
１  製版装置  
２  筐体
３  製版部
４  移動機構部
５  移動式位置決め部材
６Ａ，６Ｂ  ガイドシャフト
７  制御部
１３  マスタ
２３，６１  サーマルヘッド
２３ａ，２３ｂ，６２Ａ，６２Ｂ  ブロック
２４  サーマルヘッド電源部
３１，６３Ａ，６３Ｂ  発熱抵抗体
３６，３６ｌ，３６ｒ  発熱素子
３７Ａ，３７Ｂ  電源
【図１】
2019064002.tif 000003
【図２】
2019064002.tif 000004
【図３】
2019064002.tif 000005
【図４】
2019064002.tif 000006
【図５】
2019064002.tif 000007
【図６】
2019064002.tif 000008
【図７】
2019064002.tif 000009
【図８】
2019064002.tif 000010
【図９】
2019064002.tif 000011
【図１０】
2019064002.tif 000012
【図１１】
2019064002.tif 000013
【図１２】
2019064002.tif 000014